(57)【特許請求の範囲】
【請求項１】
蒸気が導入されて凝縮される凝縮化容器と、
前記凝縮化容器の内部を第１の部屋と第２の部屋に仕切る仕切り部材と、
前記第１の部屋及び前記第２の部屋に充填される石と、
凝縮した水を貯留する貯留容器と、を備え、
前記仕切り部材は、前記凝縮化容器の底部から上方に延びるとともに上端が前記凝縮化容器の天部と間隔を空けて前記第１の部屋と前記第２の部屋が通じるように設置され、
前記凝縮化容器の底部に排水孔が形成されており、
前記第１の部屋に導入された蒸気が前記石に衝突するとともに前記仕切り部材を乗り越えて前記第２の部屋へ移動する過程において凝縮し、前記排水孔を通じて水が前記貯留容器に貯留される、
ことを特徴とする蒸気の処理装置。
【請求項２】
前記凝縮化容器の前記第２の部屋側の底部に前記排水孔が形成されている、
ことを特徴とする請求項１に記載の蒸気の処理装置。
【請求項３】
前記貯留容器は前記凝縮化容器の下方に配置され、前記凝縮化容器の底部と前記貯留容器の天部が一体化している、
ことを特徴とする請求項１又は２に記載の蒸気の処理装置。
【請求項４】
前記仕切り部材は、蒸気を冷却する冷却用媒体が流通する冷却管を備える、
ことを特徴とする請求項１乃至３のいずれか１項に記載の蒸気の処理装置。
【請求項５】
前記貯留容器の下部に車輪を備え、前記蒸気の処理装置が移動可能である、
ことを特徴とする請求項１乃至４のいずれか１項に記載の蒸気の処理装置。
【発明の詳細な説明】
【技術分野】
【０００１】
本発明は、蒸気の処理装置に関する。
【背景技術】
【０００２】
発電所等では、ボイラチューブ等の配管修理工事等の終了後、配管内の異物除去のため、高速で蒸気を流す（フリーブロー）ことが行われる。フリーブローでは、例えば、特許文献１〜３に開示されている装置等が用いられる。
【先行技術文献】
【特許文献】
【０００３】
【特許文献１】実開平７−１２７０２号公報
【特許文献２】実開平７−３３２０１４号公報
【特許文献３】実開平８−２７７７０２号公報
【発明の概要】
【発明が解決しようとする課題】
【０００４】
屋外に設置されている配管のフリーブローでは、配管に流した蒸気を外へ排出すればよいが、屋内や閉所に設置されている配管のフリーブローでは、そのまま蒸気を排出することができず、長尺な蒸気排気用の配管を屋外まで接続しなければならず、作業性が悪いという問題があった。
【０００５】
本発明は、上記事項に鑑みてなされたものであり、その目的とするところは、屋内や閉所における配管のフリーブローの際に排出される蒸気の処理装置を提供することにある。
【課題を解決するための手段】
【０００６】
本発明に係る蒸気の処理装置は、
蒸気が導入されて凝縮される凝縮化容器と、
前記凝縮化容器の内部を第１の部屋と第２の部屋に仕切る仕切り部材と、
前記第１の部屋及び前記第２の部屋に充填される石と、
凝縮した水を貯留する貯留容器と、を備え、
前記仕切り部材は、前記凝縮化容器の底部から上方に延びるとともに上端が前記凝縮化容器の天部と間隔を空けて前記第１の部屋と前記第２の部屋が通じるように設置され、
前記凝縮化容器の底部に排水孔が形成されており、
前記第１の部屋に導入された蒸気が前記石に衝突するとともに前記仕切り部材を乗り越えて前記第２の部屋へ移動する過程において凝縮し、前記排水孔を通じて水が前記貯留容器に貯留される、
ことを特徴とする。
【０００７】
また、前記凝縮化容器の前記第２の部屋側の底部に前記排水孔が形成されていることが好ましい。
【０００８】
また、前記貯留容器は前記凝縮化容器の下方に配置され、前記凝縮化容器の底部と前記貯留容器の天部が一体化していてもよい。
【０００９】
また、前記仕切り部材は、蒸気を冷却する冷却用媒体が流通する冷却管を備えていてもよい。
【００１０】
また、前記貯留容器の下部に車輪を備え、前記蒸気の処理装置が移動可能であってもよい。
【発明の効果】
【００１１】
本発明に係る蒸気の処理装置では、屋内で排気される蒸気を処理することができ、発電所等における屋内配管のフリーブローで排出される蒸気の処理に利用可能である。
【図面の簡単な説明】
【００１２】
【図１】蒸気の処理装置の外観を示す斜視図である。
【図２】図１のＡ−Ａ’断面図である。
【図３】図１のＢ−Ｂ’断面図である。
【図４】図１のＣ−Ｃ’断面図である。
【図５】図１のＣ−Ｃ’断面図であり、容器内部に石が充填されていない状態を示す図である。
【発明を実施するための形態】
【００１３】
本実施の形態に係る蒸気の処理装置１は、図１〜図５に示すように、蒸気が凝縮される凝縮化容器１０、凝縮した水が貯留される貯留容器２０、凝縮化容器１０を第１の部屋Ｒ１と第２の部屋Ｒ２に仕切る仕切り部材３０、石Ｓｔを備える。
【００１４】
凝縮化容器１０は、筒状の容器であり、下部が貯留容器２０に接続され、上部には蓋１１が配置されている。凝縮化容器１０には、蒸気導入路１２が接続されている。蒸気導入路１２の一方の端が凝縮化容器１０の第１の部屋Ｒ１に導入されており、蒸気導入路１２の他端（不図示）は、フリーブローの際に蒸気が排出される配管等に接続されている。
【００１５】
また、第２の部屋Ｒ２には、複数の排水孔１６が形成されている。排水孔１６は、第２の部屋Ｒ２内にて、蒸気が凝縮化されて生じた水が落下により排水される孔である。
【００１６】
凝縮化容器１０の内部には、仕切り部材３０が配置されている。仕切り部材３０によって、凝縮化容器１０の内部は、第１の部屋Ｒ１と第２の部屋Ｒ２に仕切られている。仕切り部材３０は、凝縮化容器１０の底部から上方に延びている。そして、仕切り部材３０の上端と蓋１１とは間隔が空けてあり、第１の部屋Ｒ１と第２の部屋Ｒ２とが通じている。
【００１７】
仕切り部材３０は、冷却管３１、仕切り板３２、シール部材３３から構成されている。仕切り板３２が凝縮化容器１０の底面から所定間隔立設し、その上に冷却管３１が配置されている。冷却管３１は、その内部を水等の冷却媒体が流れるようになっている。冷却管３１の一端が水道等の水供給先に接続され、他端が排水路等に接続される。また、冷却管３１の両端が接続され、冷却媒体を循環させて利用する形態でもよい。そして、凝縮化容器１０内部に位置する冷却管３１はつづら折り状に形成されている。
【００１８】
シール部材３３は、冷却管３１と凝縮化容器１０の内壁との隙間や仕切り板３２と凝縮化容器１０の内壁との隙間、仕切り板３２と冷却管３１との隙間を埋めるよう設置されており、蒸気或いは蒸気が凝縮された水が仕切り部材３０の上部を超えて第１の部屋Ｒ１から第２の部屋Ｒ２へ移動するよう規制している。
【００１９】
凝縮化容器１０の内部、すなわち第１の部屋Ｒ１及び第２の部屋Ｒ２には、石Ｓｔが充填されている。石Ｓｔは蒸気導入路１２を通じて導入される蒸気の衝突エネルギーを奪い、蒸気を水に状態変化させる機能を有する。石Ｓｔとして、堆積岩のように蒸気や水により軟化、欠損等を生じるおそれのない、例えば、火成岩、変成岩等であることが好ましい。また、石Ｓｔの大きさは限定されず、例えば、長辺が６０ｍｍ〜８０ｍｍ程度のものを用いればよい。
【００２０】
貯留容器２０は、凝縮した水を貯留する容器である。貯留容器２０は、凝縮化容器１０の下方に配置され、貯留容器２０の天部と凝縮化容器１０の底部とが一体的に形成されている。貯留容器２０には、排水路２１が接続されている。
【００２１】
また、貯留容器２０には、急激な蒸気進入に伴う圧力上昇の緩和、凝縮化助勢のため、呼吸路１４が接続されている。呼吸路１４には自在継手１５が設置されており、呼吸路１４の端部を任意の方向へ向けることが可能である。
【００２２】
また、貯留容器２０の下部には、車輪が設置されている。これにより、蒸気の処理装置１は、任意の場所に移動させることができる。
【００２３】
続いて、蒸気処理の流れについて説明する。
【００２４】
まず、フリーブローが行われる配管に、蒸気導入路１２が接続される。弁１３が開放されると、フリーブローが行われる配管から蒸気が図２の矢印にて示すように第１の部屋Ｒ１へ導入される。
【００２５】
第１の部屋Ｒ１へ導入された蒸気は、石Ｓｔへの衝突を繰り返しながら、仕切り部材３０を超えて第２の部屋Ｒ２へと進行する。蒸気は石Ｓｔへの衝突によるエネルギーの減衰、冷却管３１による冷却により、凝縮し水に状態変化する。
【００２６】
第２の部屋Ｒ２側には排水孔１６が形成されているので、第２の部屋Ｒ２の水は、自重により排水孔１６を通過して、貯留容器２０に貯留される。このようにして、フリーブロー時に排出される蒸気が処理される。
【００２７】
フリーブローが終了した後、蒸気の処理装置１を排水可能な場所まで移動させて、弁２２を開放し、排水路２１を通じて、貯留された水を排水することができる。
【００２８】
このように、蒸気の処理装置１では、屋内や閉所において、配管のフリーブロー等によって排出される蒸気を凝縮することができ、長尺な蒸気排気用の配管を屋外まで接続する必要がないので、作業性に優れる。
【符号の説明】
【００２９】
１    蒸気の処理装置
１０    凝縮化容器
１１    蓋
１２    蒸気導入路
１３    弁
１４    呼吸路
１５    自在継手
１６    排水孔
２０    貯留容器
２１    排水路
２２    弁
３０    仕切り部材
３１    冷却管
３２    仕切り板
３３    シール部材
４０    車輪
Ｒ１    第１の部屋
Ｒ２    第２の部屋
Ｓｔ    石
【図１】
0006360789.tif 000002
【図２】
0006360789.tif 000003
【図３】
0006360789.tif 000004
【図４】
0006360789.tif 000005
【図５】
0006360789.tif 000006